(57)【特許請求の範囲】
【請求項１】
遊技盤に固定状態で配設され上方開口の入賞口をもつ入賞口部材と、該入賞口部材の前記入賞口の上方で上下に移動することにより前記入賞口の実質的開度を制御して遊技球が入賞する入賞度合を可変する可動部材と、該可動部材に前記上下の移動を行わせる電磁ソレノイドとから構成され、
前記可動部材は、
前記電磁ソレノイドのプランジャに支持された軸ピンと、
該軸ピンに揺動可能に保持され、該軸ピンを支点に前記入賞口を覆うように対称的な方向に延びる一対のアーム部および該アーム部の先端に付設される錘部とからなる揺動部材とを具備し、
前記揺動部材に遊技球が衝突して該揺動部材が揺動することにより、前記入賞口を覆った状態が該入賞口を左右方向から交互に開放するように変化することを特徴とする入賞装置。
【発明の詳細な説明】
【０００１】
【産業上の利用分野】
本発明は、遊技領域に遊技媒体を打ち出して入賞口への遊技媒体の入賞により賞を獲得する入賞装置に関する。
【０００２】
【従来の技術】
従来の遊技機における入賞装置の一例を図１４に示す。図１４（Ａ）はパチンコ機における普通入賞口１が配設される遊技盤２上の遊技領域を示し、図１４（Ｂ）は前記普通入賞口１と併設される普通入賞口部材３を示す斜視図である。図１４（Ａ）に示すように、普通入賞口１は、入賞口部材３の上方に起立された２本の釘４、４の間隙にて構成され、釘４、４の上方には規定位置に設定された多数の釘５、５・・・が立設されている。入賞口部材３は、図１４（Ｂ）に示すように、普通入賞口１を通過した入賞球が入る受入口６および該受入口６と連通した排出通路７とを有する樋部８と、該樋部８の下方に連設された装飾部９とからなり、入賞口部材３は、装飾部９の外周縁に配設された取付台９ａのねじ孔９ｂ・・に図示しないくぎを打ち込むことにより遊技盤２に固定されている。
【０００３】
また、図示しないが他の入賞装置の例として、入賞装置の樋部入口に一対の開閉する翼片からなるいわゆるチューリップ型の電動役物を設けたものがある。この一対の翼片は、閉状態において樋部入口上方の入賞口と該樋部入口との間のガイド片となり、入賞口に入賞した遊技球を確実に樋部入口に導く機能を果たす。また、一対の翼片は、開状態において、入賞口をはずれた遊技球を樋部入口に導き、実質的な入賞口の大きさを広げる機能を果たす。
前者の入賞装置は、入賞口に入る前の遊技球に変化を与えるものであり、後者の入賞装置は、特定の開放条件成立を条件として入賞口を時間を区切って開度を広くするものである。
【０００４】
【発明が解決しようとする課題】
従来の遊技機において、前者の入賞装置は、入賞口に入賞する前の遊技球に変化を与える部材が多数の釘５だけであり、変化が比較的単調となることが指摘され、遊技者の注意が少ないという欠点があった。
また、後者の入賞装置は、一対の翼片を光らせたりして、遊技者に注意を惹くようにしているが、視覚的な演出にすぎず、一層変化のある入賞装置の提供が要望されていた。
本発明は従来技術の問題点に鑑みてなされたものであり、入賞口に入る前の遊技球に複雑な変化を与え遊技演出効果を一層高めることができる入賞装置を実現することを目的とする。
【００１１】
請求項１に記載の入賞装置は、遊技盤に固定状態で配設され上方開口の入賞口をもつ入賞口部材と、該入賞口部材の該入賞口の上方で上下に移動することにより該入賞口の実質的開度を制御して遊技球が入賞する入賞度合を可変する可動部材と、該可動部材に前記上下の移動を行わせる電磁ソレノイドとから構成され、該可動部材は、該電磁ソレノイドのプランジャに支持された軸ピンと、該軸ピンに揺動可能に保持され、該軸ピンを支点に前記入賞口を覆うように対称的な方向に延びる一対のアーム部および該アーム部の先端に付設される錘部とからなる揺動部材とを具備し、前記揺動部材に遊技球が衝突して該揺動部材が揺動することにより、該入賞口を覆った状態が該入賞口を左右方向から交互に開放するように変化するという技術的手段を採用する。
請求項１の入賞装置によれば、一対のアーム部の先に錘部がついており、この錘部によって入賞口を覆った状態が該入賞口を左右方向から交互に開放するように変化するという視覚的演出効果を達成するとともに、錘部の重量により入賞度合の調整が容易となるなどの効果がある。
【００１２】
【発明の実施の形態】
以下、本発明を適用した入賞装置の各実施形態について図を参照して説明する。なお、以下の実施形態では、本発明に係る入賞装置として第１種のパチンコ機に備えられる入賞装置を例に挙げて説明する。
［第１実施形態］
図１は本発明の入賞装置の第１実施形態の入賞装置を用いた遊技機の前面外観図である。
本遊技機１０は、図１に示すように、島設備に固定される外枠１１と、この外枠１１に対してヒンジ部材１２、１２を介して開閉可能かつ脱着自在に取付られる前枠１４とを外郭部材とする。前枠１４は、中央大開口１３ａを開設した樹脂製の板体を前枠本体１３とし、前記中央大開口１３ａの奥側には遊技盤１５が固定されている。前記中央大開口１３ａの内周面には金枠１６が周設されるとともに、前記遊技盤１５の前面を覆うようにガラス扉１７が前記金枠１６を介して前枠本体１３へ開閉可能に取付られている。また、前記ガラス扉１７の下方には、賞球或いは貸球としての遊技球を貯留する上皿装置１８が金枠１６を介して前枠本体１３へ開閉可能に取付けられている。
【００１３】
前記前枠１４には、島設備から供給される遊技球を上皿装置１８へ配給するとともに使用済み遊技球を島設備へ返却する球経路が形成された裏機構盤（図示省略）が前記前枠本体１３の裏側に開閉可能に設けられている。なお、前記前枠本体１３の前面下方部分には、下皿装置１９および発射装置のハンドル部２０が設けらている。
【００１４】
図２は第１実施形態の入賞装置を採用した遊技機の遊技盤上の構成を示す説明図である。
上記遊技盤１５は、その前面側に、図２に示すように、ガイドレール（外レール２１及び内レール２２）で区画される円形の遊技領域内に風車２３やゲート２４など各種遊技部材が設けられると共に、前記ガイドレールの外側にはコーナー飾り２５が設けられている。
更に、前記遊技盤１５の遊技領域には、同図に示すように、その中央に天入賞口２６、普通図柄表示器２７、特別図柄表示器２８および振分装置２９が一体的に形成されたセンターケース３０が設けられている。センターケース３０の下方には、始動入賞口３１及び大入賞口３２が形成された大入賞装置３３が設けられている。また、前記センターケース３０の左斜め下方向と右斜め下方向には、本第１実施形態の入賞装置として、左袖入賞装置３４および右袖入賞装置３５が設けられている。
【００１５】
一方、前記遊技盤１５の裏面側には、各種入賞口から送られる遊技球（入賞球）やアウト口３６から流下する遊技球（アウト球）を回収して裏機構盤の球経路へ排出する集合経路（図示省略）が形成されている。
【００１６】
図３は左袖入賞装置３４を示す分解斜視図、図４は図３の左袖入賞装置３４が組み立てられた状態の正面図、図５は図４を軸ピン位置で縦方向に切断した断面図、図６は図３の左袖入賞装置が組み立てされた状態の斜視図である。なお、左袖入賞入賞装置３４および右袖入賞装置３５は、略同じ構成であるため、以下では左袖入賞装置３４を代表に説明する。
左袖入賞装置３４は、図５に示すように、遊技盤１５の所定位置（図では遊技盤１５に形成した穿孔１５ｂ）に配設される入賞口部材３７と、その上方に上下に移動可能に配設される可動部材３８と、遊技盤１６の裏側より前記可動部材３８を駆動する電磁レノイド３９とから構成されている。
入賞口部材３７は、図３、図５および図６に示すように、遊技盤１５への取付用ネジ孔４０ａが形成された装飾鍔部４０ｂを有する半円筒状の取付台４０と、上方開口の受入口４１および該受入口４１と連通した排出通路４２を備え前記取付台４０の上部に設けられて前記排出通路４２より入賞球を遊技盤１５の裏側（集合経路）へ導出する樋部４３と、前記取付台４０の前面に形成され前記樋部４３を装飾する装飾部４４と、前記取付板４０に配設されるＬＥＤ４５ａを有する回路基板４５とが一体的に構成されたものである。装飾部４４は、外周に透明あるいは半透明の花柄部分３７ａをもち、中央に例えば十字状の金属光沢部分３７ｂをもつもので、前記ＬＥＤ４５ａからの光は、金属光沢部分３７ｂの４方間より花柄部分３７ａを透過する。
【００１７】
上記受入口４１は、従来の図１４（Ａ）に図示の釘４による入賞口に相当するものであるが、その釘４と同等の機能を果たすものは受入口４１の開口エッジ４１ａ、４１ａ（図４参照）である。開口エッジ４１ａ、４１ａの幅Ｓ（図９（Ｂ）参照）は、遊技球Ｐの直径φより大きくしてある。ちなみにＳは１２ｍｍであり、φは１１ｍｍである。
可動部材３８は、図３および図５に示すように、通孔４６ａをもつ中間軸部４６と、該中間軸部４６から斜め対称的な方向に下方に湾曲して延びた一対のアーム部４７、４７と、アーム部４７の先端に形成された円柱形状の錘部４８とからなる揺動部材４９を主要素として構成されている。一対のアーム部４７は、前記受入口４１を覆うようにやじろべえのごとく円弧状に延びている。揺動部材４９は、前記中間軸部４６の通孔４６ａに軸ピン５０が遊挿されている。軸ピン５０は、さらに遊技盤１５に形成された移動用窓１５ａ（図５）を挿通して前記電磁ソレノイド３９のプランジャ３９ａの頭部に支持されている。
【００１８】
また、軸ピン５０の頭部には、該頭部で抜止めされた状態で円盤状の装飾板５１が遊嵌状態に取り付けられている。そして、装飾板５１は、第１実施形態の場合、図５に示すように、接着などの手段により揺動部材４９と一体化されている。この構成により、揺動部材４９は、装飾板５１とともに、アーム部４７あるいは錘部４８と遊技球との衝突により、軸ピン５０を中心に揺動（振り子のように揺れ動く）する。
【００１９】
また、図５に示すように、上記可動部材３８は、電磁ソレノイド３９が非通電のときと通電のときとで突出状態と吸引状態に変位するプランジャ３９ａによって前記移動用窓１５ａの下端位置と上端位置とを移動することとなる。以下、移動用窓１５ａの下端位置にあるときの可動部材３８の位置を下死点、移動用窓１５ａの上端位置にあるときの可動部材３８の位置を上死点という。そして、可動部材３８が上死点の位置では、可動部材３８が入賞口部材３７より遠ざかった状態で揺動するため、入賞度合が前記開口エッジ４１ａ、４１ａの幅Ｓで定まるきわめて高い開放状態となる。また、このときの中間軸部４６の外周面と受入口４１の開口エッジ４１ａとの距離をＬ２（図９（Ｂ）参照）とする。Ｌ２はＳと等しくするか、Ｓより大きくする。
【００２０】
（入賞装置の入賞度合の設定）
ここで、可動部材３８が下死点にあるときの入賞度合（以下、下死点入賞度合といい、可動部材３８が上死点に移動した上記開放状態のときを上死点入賞度合という）は、このときの中間軸部４６の外周面と受入口４１の開口エッジ４１ａとの距離Ｌ１（図９（Ａ）参照）によって調節できる。すなわち、下死点入賞度合をゼロにする場合は（請求項２に対応）、距離Ｌ１を遊技球の直径φより若干小さくする（Ｌ１＜φ）。ただし、揺動部材４９の揺動により錘部４８外周面が創成する揺動軌跡と受入口４１の開口エッジ４１ａとの間に若干の隙間を創る必要がある。これは、揺動部材４９が揺動した状態で電磁ソレノイド３９が通電されて下死点に移動したとき、アーム部４７の一方が受入口４１内に入った斜め状態あるいは、アーム部４７の両方とも受入口４１の外側に揺動した斜め状態とならないようにするためである（斜め状態となってもアーム４７が元の位置に復帰できるようする）。
【００２１】
本第１実施形態では、下死点入賞度合をゼロより高くしている。下死点入賞度合をゼロより高くする場合は、前記Ｌ１を遊技球の直径φと等しくするか若干大きく（Ｌ１≧φ）する。ただし、Ｓ＞Ｌ１である。また、上記斜め状態となるのを回避するため、揺動部材４９の揺動により錘部４８外周面が創成する揺動軌跡と受入口４１の開口エッジ４１ａとの間に若干の隙間を設けている。
また、上記下死点入賞度合いは、錘４８の重さによっても調整することができる。すなわち、衝突の原理により、遊技球の重さに対する錘部４８の合計の重さを大きくすれば、入賞度合が低下し、反対にすれば入賞度合が高くなる。
【００２２】
（動作）
次に、本実施形態の入賞装置の動作について、図７ないし図１０を用いて説明する。図７は可動部材３８が上死点に移動したときの入賞装置を示す正面図、図８は図７の状態の入賞装置を示す断面図である。また、図９（Ａ）は装飾板５１を省略した図４に対応する動作図、図９（Ｂ）は同省略状態の図７に対応する動作図、図１０（Ａ）および（Ｂ）は遊技球によって揺動する揺動部材４９の動作を示す動作図である。
【００２３】
入賞装置の開放条件が成立しない場合、本実施形態の入賞装置は、図９（Ａ）に示すように、揺動部材４９のアーム部４７および錘部４８が受入口４１を覆っており、かつ中間軸部４６の外周面と受入口４１の開口エッジ４１ａとの距離がＬ１となっている。したがって、受入口４１の実質的開度はＬ１（＜Ｓ）となり、遊技球を入り難くされている（請求項１に対応）。
したがって、第１実施形態として、可動部材３８が受入口４１に接近した下死点に移動した状態でも、遊技球が衝突すると揺動部材４９は揺動して、受入口４１を部分的に開放し、入賞への期待を抱かせる効果がある。
また、受入口４１への遊技球の入賞を阻止するようにしてもよい（請求項２）が、この場合は後の第５実施形態で説明する。
【００２４】
その後、入賞装置の開放条件が成立した場合、すなわち、遊技中にセンターケース３０における特別図柄表示器２８の特別図柄の組合せが、予め定めた特定の図柄の組合せと一致して、所謂「大当り」となって遊技者に有利な遊技状態となった場合、本入賞装置では、受入口４１への遊技球の入賞度合が上死点入賞度合となり、次に示す開放動作が行われる。
つまり、開放動作成立を契機に、左袖入賞装置３４では、電磁ソレノイド３９が通電され、プランジャ３９ａが吸引状態となるように作動させる。すると、図８に示すように、プランジャ３９ａに支持された軸ピン５０が上死点に移動し、これに伴って揺動部材４９および装飾板５１が上方に移動する。勿論、このときの揺動部材４９は、図９（Ｂ）に示すように、その錘部４８が受入口４１から遠ざかるため、軸ピン５０の外周面と開口エッジ４１ａとの距離がＬ２となる。Ｌ２は、球径φよりきわめて大きいため、遊技球が受入口４１の直上領域へ飛翔しやすくなり、開口エッジ４１ａ、４１ａ間の幅Ｓ（＜Ｌ２）による入賞の率が高い上死点入賞度合となる。
【００２５】
ただし、錘部４８と受入口４１の開口エッジ４１ａとの距離は、遊技球の直径未満となるよう留めておく。このような間隔で揺動部材４９を配置すると、揺動部材４９が揺動可能に支持されているため、落下する遊技球が揺動部材４９へ確実に衝突することにより、図１０（Ａ）あるいは図１０（Ｂ）に示すように、揺動部材４９が軸ピン５０を中心に遊技球とは反対方向に揺動し、この結果、受入口４１が左右方向が交互に開放されて入賞度合が高くなる。なお、受入口４１へ遊技球が入ると、その遊技球は、排出通路４２を転動して入賞球排出経路に従い賞球検出スイッチを通って裏機構盤へ排出されることになる。
なお、錘部４８と受入口４１の開口エッジ４１ａとの距離を遊技球の直径以上にすると、揺動部材４９に遊技球が衝突しにくくなり、演出効果が薄れる。
【００２６】
その後、大当たり状態が終了するなど入賞装置の開放動作終了を契機に、電磁ソレノイド３９が非通電とされ、プランジャ３９ａが突出状態に作動される。すると、これに伴って軸ピン５０と共に揺動部材４９が下方に移動する。そして、揺動部材４９の錘部４８が受入口４１の開口エッジ４１ａときわめて僅かな間隙を保った状態で下死点となる。つまり通常位置に戻って受入口４１へ遊技球が入ににくくなる位置に達した時点でソレノイド３９ａの作動が終了する。
【００２７】
（第１実施形態の効果）
（１）上記第１実施形態の入賞装置３４、３５では、入賞口に入る前の遊技球の挙動が機械的に複雑に制御され、単調さが解消され、光による演出とは異なる遊技への高い演出効果を奏し、遊技者の興味を入賞動作に惹き付けるような機械的動きを伴った視覚的な演出を期待できる。
（２）遊技盤全体で行われている点滅発光による演出とは異なる機械的な動作によって、遊技者の興味を入賞動作に強く惹き付けることができる。
（３）揺動部材４９に装飾部材が設けられているため、装飾効果を一層高めることができる。
（４）入賞口（受入口４１）への入賞後であっても揺動部材４９が揺動し得るため、入賞装置の装飾効果が持続する。
（５）可動部材３８が下死点に位置するときも入賞可能に構成しているが、受入口４１の開口エッジ４１ａと錘部４８外周との間の隙間を調整することにより、入賞度合を変化させることができる。
（６）装飾板５１が揺動部材３９と一体のため、装飾板５１は揺動部材３９の揺動を隠しつつ回転しながら上下動し、奇抜な演出効果を期待できる。
【００２８】
［第２実施形態］
第１実施形態では、揺動部材４９の前面側全体を覆うよう装飾板５１を設けているが、これに限らず、図１１に示すように、揺動部材４９の前端面だけに貼設形態の装飾板５２を設けてもよい。図１１に示す装飾板５２は、装飾模様を印刷などにより形成し、裏面に接着剤を塗布して揺動部材４９の前端面に貼着するものである。この場合、軸ピン５０の頭部５０ａにも同様の貼設形態でシール状の装飾シール５０ｂを貼着し、該頭部５０ａの裏面が当接する前記装飾板５２の中央部分は無垢面としておく。この第２実施形態によれば、揺動部材４９を比較的軽量に構成することができるため、揺動部材４９の揺動角度の設定幅を広くすることができる。また、揺動部材４９の動きを遊技者が視認でき、遊技に一層惹きつけられる効果を期待できる。
【００２９】
［第３実施形態］
第３実施形態の入賞装置として、図１２に示すように、軸ピン５０の頭部５０ａに装飾板５１を固着し、揺動部材４９だけが揺動するようにしてもよい。この実施形態においては、装飾板５１が不動であり、揺動部材４９の動きを予想できないため、入賞過程が神秘的で遊技者は遊技に一層興味をもつ効果を期待できる。
【００３０】
［第４実施形態］
第４実施形態の入賞装置として、図１３に示すように、従来技術で説明したような釘による入賞口４１ｂの上に本発明の可動部材３８を設けてもよい。この場合、入賞装置の構成は、入賞口４１ａと、揺動部材４９を有する可動部材３８と、該可動部材３８を上下に移動させる電磁ソレノイド３９とから構成することができる。
第４実施形態では、釘による入賞口４１ｂに本発明の入賞装置を適用して、機械的な動作の入賞演出効果を期待できる。
【００３１】
［第５実施形態］
第５実施形態の入賞装置として、図９（Ａ）に示すＬ１がφより小さくなるように可動部材３８を配設して、通常時に完全に入賞不可能となるようにしてもよい。この実施形態では、入賞可能となるときとの差を印象づけ、入賞可能となるように遊技に惹きつける効果を期待できる。
【００３２】
［第６実施形態］
第６実施形態の入賞装置として、揺動部材４９の錘部４８の重量を適宜調節することにより、遊技球との衝突で揺動部材４９及び装飾板５１が回転するよう設定することもできる。この実施形態では揺動部材４９が回転するため、一層遊技に惹きつける効果を期待できる。
【００３３】
［第７実施形態］
第７実施形態の入賞装置として、上記のような大当たりなどの遊技状態を契機とする以外にも、遊技盤上の各種入賞口ないしゲート部材に遊技球が入球ないし通過した場合を契機として開放動作を行ってもよい。勿論、前記開放動作の契機とは無関係に、通常位置から開放位置への上方向移動と、開放位置から通常位置への下方向移動とを、遊技中、常に繰返し行うようにしてもよい。
【００３４】
［第８実施形態］
第８実施形態の入賞装置として、揺動部材４９のアーム部４７は、湾曲したアーチ形状の代わりに、中間軸部４６の外周面から左斜め下方向及び右斜め下方向へ各々ストレートに延ばした形状であってもかまわない。
【００３５】
［第９実施形態］
第９実施形態の入賞装置として、上記第１実施形態では電磁ソレノイド３９を遊技盤１５側に固定している。しかしながら、取付部４０を拡大し、これに電磁ソレノイド３９を固定してユニット化しておくこともできる。この場合の入賞装置ユニットは遊技盤１５に固定するだけで取付作業が完了するため、作業性を向上させることができる。
【図面の簡単な説明】
【図１】  図１は本発明の入賞装置の第１実施形態を採る遊技機の前面外観図である。
【図２】  図２は本発明の入賞装置の第１実施形態を採用した遊技機の遊技盤上の構成を示す説明図である。
【図３】  上記遊技機に用いた本発明の入賞装置の第１実施形態を示す分解斜視図である。
【図４】  図３の入賞装置が組み立てられた状態の正面図である。
【図５】図４を軸ピン位置で破断した縦断面図である。
【図６】図３を組み立てた入賞装置の斜視図である。
【図７】可動部材３８が上死点に移動したときの入賞装置を示す正面図である。
【図８】図７の状態の入賞装置を示す縦断面図である。
【図９】（Ａ）は装飾板５１を省略した図４に対応する動作図、（Ｂ）は装飾板５１を省略した図７に対応する動作図である。
【図１０】（Ａ）および（Ｂ）は共に遊技球によって揺動する揺動部材４９の動作を示す動作図である。
【図１１】揺動部材の前端面だけ装飾する装飾板を用いた第２実施形態の断面図である。
【図１２】装飾板と揺動部材を別体とした第３実施形態の断面図である。
【図１３】  釘による入賞口に本発明を適用した第４実施形態の断面図である。
【図１４】  （Ａ）は遊技盤上の従来の入賞装置を示す正面図、（Ｂ）は従来の入賞口部材を示す説明図である。
【符号の説明】
３８…可動部材
３９…電磁ソレノイド（駆動手段）
４１…受入口（入賞口）
４７…アーム部
４８…錘部
４９…揺動部材
【図１】
0003660227.tif 000002
【図２】
0003660227.tif 000003
【図３】
0003660227.tif 000004
【図４】
0003660227.tif 000005
【図５】
0003660227.tif 000006
【図６】
0003660227.tif 000007
【図７】
0003660227.tif 000008
【図８】
0003660227.tif 000009
【図９】
0003660227.tif 000010
【図１０】
0003660227.tif 000011
【図１１】
0003660227.tif 000012
【図１２】
0003660227.tif 000013
【図１３】
0003660227.tif 000014
【図１４】
0003660227.tif 000015